(57)【特許請求の範囲】
【請求項１】
第１と第２のバックプレートが互いに非導通状態で背中合わせに配置され、前記第１と第２のバックプレートにそれぞれ一定の間隔をおいて第１と第２の振動板が対向して配置されることにより、電気的に独立した二つのコンデンサ型マイクロホンユニットを前後に備えたコンデンサマイクロホンが利用され、
前記第２マイクロホンユニットにより得られる第２音声出力をインピーダンス変換し、前記第１マイクロホンユニットの交流接地側に供給する第２インピーダンス変換器と、
インピーダンス変換された前記第２音声出力に、前記第１マイクロホンユニットにより得られる第１音声出力を加算してなる音声出力を前記第１マイクロホンユニットの非交流接地側から引き出してインピーダンス変換し、マイクロホンの出力とする第１インピーダンス変換器と、
前記一方のマイクロホンユニットに加える成極電圧に対して、前記他方のマイクロホンユニットに加える成極電圧を変化させることが可能な成極電圧選択手段とが具備され、
前記成極電圧選択手段の操作により指向性を可変することを特徴とする可変指向性コンデンサマイクロホン。
【請求項２】
前記一方のマイクロホンユニットに加える成極電圧が一定の電圧値になされ、前記他方のマイクロホンユニットに加える成極電圧が、前記成極電圧選択手段により正負の電圧極性が選択可能に構成されていることを特徴とする請求項１に記載された可変指向性コンデンサマイクロホン。
【請求項３】
前記一方のマイクロホンユニットに加える成極電圧が一定の電圧値になされ、前記他方のマイクロホンユニットに加える成極電圧が、前記成極電圧選択手段により複数の異なる電圧レベルに選択可能に構成されていることを特徴とする請求項１または請求項２に記載された可変指向性コンデンサマイクロホン。
【請求項４】
第１と第２のバックプレートが互いに非導通状態で背中合わせに配置され、前記第１と第２のバックプレートにそれぞれ一定の間隔をおいて第１と第２の振動板が対向して配置されることにより、電気的に独立した二つのコンデンサ型マイクロホンユニットを前後に備えたコンデンサマイクロホンが利用され、
前記第２マイクロホンユニットにより得られる第２音声出力をインピーダンス変換し、前記第１マイクロホンユニットの交流接地側に供給する第２インピーダンス変換器と、
インピーダンス変換された前記第２音声出力に、前記第１マイクロホンユニットにより得られる第１音声出力を加算してなる音声出力を前記第１マイクロホンユニットの非交流接地側から引き出してインピーダンス変換し、マイクロホンの出力とする第１インピーダンス変換器と、
前記第１と第２のマイクロホンユニットは、エレクトレットコンデンサマイクロホンであり、前記第２音声出力をインピーダンス変換する第２インピーダンス変換器には、第２音声出力の位相を調整することが可能な位相調整手段とが具備され、
前記移相調整手段の操作により指向性を可変することを特徴とする可変指向性コンデンサマイクロホン。
【請求項５】
前記位相調整手段には、利得が“１”で入出力の位相が非反転の非反転増幅器と、利得が“１”で入出力の位相が反転する反転増幅器とが具備され、少なくとも前記非反転増幅器の出力、もしくは反転増幅器の出力が前記第１マイクロホンユニットの交流接地側に供給されるように構成したことを特徴とする請求項４に記載された可変指向性コンデンサマイクロホン。
【請求項６】
前記非反転増幅器の出力と反転増幅器の各出力をそれぞれ両端に受けるポテンションメータが備えられ、前記ポテンションメータの可変出力端子に得られる出力が、前記第１マイクロホンユニットの交流接地側に供給されるように構成したことを特徴とする請求項５に記載された可変指向性コンデンサマイクロホン。
【請求項７】
前記第１マイクロホンユニットの交流接地側が、前記第１の振動板になされ、前記第１マイクロホンユニットの非交流接地側が、前記第１のバックプレートになされていることを特徴とする請求項１ないし請求項６のいずれか１項に記載された可変指向性コンデンサマイクロホン。
【発明の詳細な説明】
【技術分野】
【０００１】
この発明は、前後に振動板を備えた可変指向性コンデンサマイクロホン、もしくはエレクトレットコンデンサマイクロホンに関し、特にマイクロホンの入力感度ならびにＳ／Ｎを向上させることができるコンデンサマイクロホンに関するものである。
【背景技術】
【０００２】
指向性を可変できるマイクロホンとして、２つのコンデンサ型マイクロホンユニットを前後に背中合わせに配置したものが知られている。前記２つのマイクロホンユニットはそれぞれカージオイド特性を有し、各ユニットに加えるの成極電圧を加減することによって可変指向性を実現しており、これは特許文献１に開示されている。
【０００３】
一方、図６は非特許文献１において知られている前記した可変指向性マイクロホンユニットに適用可能な指向性切り換え回路の例を示している。これは、前後一対のマイクロホンユニット（Ｍｉｃ）のうち、前側ユニットの振動板（ＤｉａｐＢ）には一定の成極電圧を印加し、後側ユニットの振動板（ＤｉａｐＡ）に印加する成極電圧を切り換えることにより、マイクロホンの指向性を切り換えるようになされている。
【０００４】
図６に示す例では、＋６０Ｖの直流電源と−６０Ｖの直流電源を備え、前側ユニットの振動板には常時＋６０Ｖの成極電圧が印加されている。前記＋６０Ｖと−６０Ｖの電源は抵抗分割により、それぞれ中間の分圧電圧（＋３０Ｖ，−３０Ｖ）が生成され、基準電位０Ｖも含めて５段階の電圧が生成されるようになされている。そして、前記５段階の成極電圧をスイッチで選択して後側ユニットの振動板に択一的に印加するように構成されている。なお、双方のユニットの共通固定電極（「バックプレート」ともいう）は基準電位点（０Ｖ）になされている。
【０００５】
図７は、前記スイッチを利用して後側ユニットの振動板に与える成極電圧を切り換えることによって得られるマイクロホンの指向特性の例を示す。図６に示すスイッチが接点“１”を選択すると、前側ユニットの振動板に加わる成極電圧が＋６０Ｖであるのに対し、後側ユニットの振動板に加わる成極電圧が−６０Ｖとなり、前側ユニットの出力から後側ユニットの出力を減算した指向特性、すなわち双指向特性が得られる。
【０００６】
前記スイッチが接点“２”を選択すると、後側ユニットに加わる成極電圧が−３０Ｖとなり、図７の「２」に示すようなハイパーカージオイド特性が得られる。また前記スイッチが接点“３”を選択すると、後側ユニットの成極電圧が０Ｖとなり、後側ユニットからの出力は発生しない状態となる。これにより、図７の「３」に示すようなカージオイド指向特性、すなわち前側のユニットのみからの出力が得られる特性となる。
【０００７】
前記スイッチが接点“４”を選択すると、後側ユニットの成極電圧が＋３０Ｖとなり、図４の「４」に示すようなワイドカージオイドの特性が得られる。さらに前記スイッチが接点“５”を選択すると、後側ユニットに加わる成極電圧が＋６０Ｖとなり、前側ユニットの出力に後側ユニットの出力が同相で加算された指向特性、すなわち無指向の特性が得られる。
【先行技術文献】
【特許文献】
【０００８】
【特許文献１】特開平７−１４３５９５号公報
【非特許文献】
【０００９】
【非特許文献１】Ｍｉｃｈａｅｌ  Ｇａｙｆｏｒｄ著「Ｃｏｎｄｅｎｓｅｒ  ｍｉｃｒｏｐｈｏｎｅ  ｗｉｔｈ  ｖａｒｉａｂｌｅ  ｐｏｌａｒ  ｒｅｓｐｏｎｓｅ」  Ｍｉｃｒｏｐｈｏｎｅ  Ｅｎｇｉｎｅｅｒｉｎｇ  Ｈａｎｄｂｏｏｋ（ｐ３２，Ｆｉｇｕｒｅ１．１８）
【００１０】
ところで、非特許文献１に示された例においては、前側ユニットの出力に、後側ユニットの出力を加えるために両者の振動板は、コンデンサＣによって交流結合されている。図８はこれを等価回路図によって示したものであり、図８に示す構成においては、バックプレート２から出力を取り出す構成にされている。
【００１１】
すなわち図８において、符号１ａは前側ユニットを構成する振動板を示し、符号１ｂは後側ユニットを構成する振動板を示しており、０゜を指す矢印が集音軸を示している。そして、前記２つの振動板１ａ，１ｂは、コンデンサＣにより交流結合されている。また、前記２つの振動板１ａ，１ｂの間にはバックプレート２が配置され、このバックプレート２に生成される出力がインピーダンス変換器として機能するバッファアンプ３を介して出力される。
【００１２】
図８における符号Ｅ１は、前側ユニットの振動板１ａに抵抗Ｒ１１を介して成極電圧を加えるための直流電源であり、符号Ｅ２は、前記Ｅ１と共に後側ユニットの振動板１ｂに対して抵抗Ｒ１２を介して選択的に正負（±）の成極電圧を加える直流電源である。そして、ＳＷは後側ユニットの振動板１ｂに加える成極電圧を選択するように動作する指向性の切り換えスイッチである。
【００１３】
前記スイッチＳＷの機能は、図３に基づいてすでに説明したとおり、ａを選択すると無指向の特性が得られ、ｂを選択すると前側ユニットのみによるカージオイド特性が得られ、さらにｃを選択すると双指向特性が得られる。
【発明の概要】
【発明が解決しようとする課題】
【００１４】
ところで、図８において前記スイッチＳＷをｂに選択した場合においては、前記したとおり後側ユニットに加わる成極電圧が０Ｖとなるので、後側ユニットからは出力は発生せず、前側ユニットのみから出力が得られることでカージオイドの指向特性が得られる。この場合、前後の振動板１ａ，１ｂは前記したとおり、コンデンサＣにより交流結合されているので、この状態を等価回路において示すと、図９のようになる。
【００１５】
すなわち、図９（Ａ）において、符号Ａｓは前側ユニットにより得られる音声出力であり、Ｃａは前側ユニットの振動板１ａとバックプレート２との間に形成される結合容量である。またＣｂは後側ユニットの振動板１ｂとバックプレート２との間に形成される結合容量である。
【００１６】
前記したとおり、後側ユニットに加わる成極電圧が０Ｖ（スイッチＳＷをｂに選択）の場合においては、後側ユニットからの音声出力は発生せず、したがって前側ユニットにより得られる音声出力源Ａｓに前記結合容量Ｃａが直列接続された状態でバッファアンプ３に供給される。また後側ユニットからの音声出力は発生しないので、後側ユニットの振動板１ｂとバックプレート２との間に形成される結合容量Ｃｂが、前記音声出力源Ａｓと結合容量Ｃａの直列回路に並列に接続され、前記容量Ｃｂは音声出力源Ａｓからみると負荷容量として動作することになる。
【００１７】
図９（Ａ）に示す等価回路を書き代えると図９（Ｂ）に示すようになり、結果として音声出力源Ａｓは、結合容量ＣａとＣｂにより交流分圧されてバッファアンプ３に供給されることになる。一般に結合容量ＣａとＣｂは、ほぼ同一の値になるため、音声出力レベルは半減することになる。これによりマイクロホンの感度は６ｄＢ低下し、Ｓ／Ｎもこれに応じて劣化することになる。これは、成極電源を持たないエレクトレットコンデンサマイクロホンにおいても同様のことが言える。
【００１８】
この発明は、２つのユニットを前後に背中合わせ状態に配置して指向性を可変できるようにしたコンデンサマイクロホン、もしくはエレクトレットコンデンサマイクロホンの前記した問題点に着目してなされたものであり、後側ユニットに出力がない場合において、後側ユニットが負荷容量として動作するのを防止し、マイクロホンの感度の低下、ならびにＳ／Ｎの劣化を防止することができる可変指向性コンデンサマイクロホンを提供することを課題とするものである。
【課題を解決するための手段】
【００１９】
前記した課題を解決するためになされたこの発明にかかるコンデンサマイクロホンは、第１と第２のバックプレートが互いに非導通状態で背中合わせに配置され、前記第１と第２のバックプレートにそれぞれ一定の間隔をおいて第１と第２の振動板が対向して配置されることにより、電気的に独立した二つのコンデンサ型マイクロホンユニットを前後に備えたコンデンサマイクロホンが利用され、前記第２マイクロホンユニットにより得られる第２音声出力をインピーダンス変換し、前記第１マイクロホンユニットの交流接地側に供給する第２インピーダンス変換器と、インピーダンス変換された前記第２音声出力に、前記第１マイクロホンユニットにより得られる第１音声出力を加算してなる音声出力を前記第１マイクロホンユニットの非交流接地側から引き出してインピーダンス変換し、マイクロホンの出力とする第１インピーダンス変換器と、前記一方のマイクロホンユニットに加える成極電圧に対して、前記他方のマイクロホンユニットに加える成極電圧を変化させることが可能な成極電圧選択手段とが具備され、前記成極電圧選択手段の操作により指向性を可変することを特徴とする。
【００２０】
この場合、好ましい一つの形態としては、前記一方のマイクロホンユニットに加える成極電圧が一定の電圧値になされ、前記他方のマイクロホンユニットに加える成極電圧が、前記成極電圧選択手段により正負の電圧極性が選択可能に構成される。また好ましい他の形態としては、前記一方のマイクロホンユニットに加える成極電圧が一定の電圧値になされ、前記他方のマイクロホンユニットに加える成極電圧が、前記成極電圧選択手段により複数の異なる電圧レベルに選択可能に構成される。
【００２１】
前記した課題を解決するためになされたこの発明にかかるエレクトレットコンデンサマイクロホンは、前記した成極電圧選択手段に代えて、前記第２音声出力の位相を調整することが可能な位相調整手段が具備され、前記位相調整手段の操作により指向性を可変することを特徴とする。
【００２２】
この場合、好ましい一つの形態としては、前記位相調整手段には、利得が“１”で入出力の位相が非反転の非反転増幅器と、利得が“１”で入出力の位相が反転する反転増幅器とが具備され、少なくとも前記非反転増幅器の出力、もしくは反転増幅器の出力が前記第１マイクロホンユニットの交流接地側に供給されるように構成される。
【００２３】
また、前記非反転増幅器の出力と反転増幅器の各出力をそれぞれ両端に受けるポテンションメータを備え、前記ポテンションメータの可変出力端子に得られる出力を、前記第１マイクロホンユニットの交流接地側に供給するように構成される場合もある。
【００２４】
そして、前記第１マイクロホンユニットの交流接地側が、前記第１の振動板になされ、前記第１マイクロホンユニットの非交流接地側が、前記第１のバックプレートになされた構成を好適に採用することができる。
【発明の効果】
【００２５】
この発明にかかる前記した構成の可変指向性コンデンサマイクロホンによると、電気的に独立した二つのコンデンサ型マイクロホンユニットが前後に背中合わせ状態に備えられ、第２マイクロホンユニットにより得られる第２音声出力がインピーダンス変換されて、第１マイクロホンユニットの交流接地側に供給され、第１マイクロホンユニットの非交流接地側から得られる第１音声出力に、前記第２音声出力が加わった出力をマイクロホンの出力として利用するようになされる。
【００２６】
これによれば、第１マイクロホンユニットおよび第２マイクロホンユニットに加える成極電圧のレベルおよび／または極性を異ならせることで、指向性を任意に選択することができる。また、エレクトレットコンデンサマイクロホンの場合においては、第２マイクロホンユニットから得られる音声信号を位相調整して第１マイクロホンユニットの交流接地側に供給することで、第１マイクロホンユニットの非交流接地側より、指向性を任意に選択した音声出力を得ることができる。
【００２７】
したがって、図６〜９に示した従来の可変指向性コンデンサマイクロホンのように、前後の振動板を交流結合することにより発生する問題点を解消することができ、感度ならびにＳ／Ｎを向上させたコンデンサマイクロホンを提供することができる。
【図面の簡単な説明】
【００２８】
【図１】この発明にかかる成極電源を用いるコンデンサマイクロホンの回路構成図である。
【図２】図１に示すマイクロホンに採用される成極電圧選択手段の他の例を示す回路構成図である。
【図３】この発明にかかるエレクトレットコンデンサマイクロホンの回路構成図である。
【図４】図１に示すマイクロホンに採用される位相調整手段の他の例を示す回路構成図である。
【図５】図１に示すマイクロホンに採用される位相調整手段のさらに他の例を示す回路構成図である。
【図６】従来における可変指向性コンデンサマイクロホンの一例を示した回路構成図である。
【図７】図６に示す回路構成によって選択される指向特性図である。
【図８】図６に示す構成を等価回路で示した回路構成図である。
【図９】図８に示す構成によって招来される問題点を説明するブロック図である。
【発明を実施するための形態】
【００２９】
以下、この発明にかかる可変指向性コンデンサマイクロホンについて、図に示す実施の形態に基づいて説明する。まず図１は成極電源を利用するコンデンサマイクロホンを用いた回路構成を示すものであり、図１に示す実施の形態においては、電気的に独立した二つのコンデンサ型マイクロホンユニットを前後に備えたコンデンサマイクロホンが用いられる。
【００３０】
このコンデンサマイクロホンは、第１と第２のバックプレート２ａ，２ｂが互いに非導通状態で背中合わせに配置され、前記第１と第２のバックプレート２ａ，２ｂにそれぞれ一定の間隔をおいて第１と第２の振動板１ａ，１ｂが対向して配置されている。なお図示例において、矢印で０゜を示す集音軸側を前側ユニットと称呼し、反対側を後側ユニットと称呼する。
【００３１】
図１において、符号ＳＷは成極電圧選択手段を構成する選択スイッチ（指向性の選択スイッチ）であり、これはすでに説明した図８に示す例と同様にａ〜ｃの被選択端子が備えられている。前記スイッチＳＷの端子ｂは、基準電位点（０Ｖ）に接続されており、端子ａ，ｂ間には第１の成極電源Ｅ１が接続挿入され、また端子ｂ，ｃ間には第２の成極電源Ｅ２が接続挿入されている。
【００３２】
前記第１の成極電源Ｅ１の正極端子（＋）は、抵抗Ｒ１を介して前側ユニットの振動板１ａに接続されている。すなわち、この実施の形態においては、前側ユニットの振動板１ａには、成極電源Ｅ１による一定の直流正電圧が成極電圧として印加されるように構成されている。これにより前記振動板１ａは抵抗Ｒ１および成極電源Ｅ１を介して交流接地側を構成しており、前記第１のバックプレート２ａが非交流接地側を構成することになる。
【００３３】
前記第２の成極電源Ｅ２は、前記第１の成極電源Ｅ１と共に、後側ユニットの成極電源を構成している。すなわち、スイッチＳＷが端子ａを選択した場合には、前記第１の成極電源Ｅ１の直流正電圧が抵抗Ｒ２を介して、後側ユニットの振動板１ｂに供給される。またスイッチＳＷが端子ｂを選択した場合には、振動板１ｂには成極電圧は加わらず、スイッチＳＷが端子ｃを選択した場合には、振動板１ｂには前記第２の成極電源Ｅ２の直流負電圧が抵抗Ｒ２を介して印加される。
【００３４】
そして、第２の振動板１ｂはコンデンサＣ２を介して交流接地されており、したがって後側ユニットの振動板１ｂが交流接地側を構成し、第２のバックプレート２ｂが非交流接地側を構成している。
【００３５】
図１に示す構成においては、後側ユニットにおける第２のバックプレート２ａに生ずる出力（第２音声出力）が、第２インピーダンス変換器４に供給されてインピーダンス変換される。この第２インピーダンス変換器４の入出力特性は、位相が同一であり、利得は“１”になされている。そして第２インピーダンス変換器４による出力は、前側ユニットの交流接地側である第１振動板１ａに対してコンデンサＣ１を介して供給するように構成されている。
【００３６】
一方、前記した前側ユニットにおける第１のバックプレート２ａには、前側ユニットによる音声出力（第１音声出力）が生成されると同時に、前記第２インピーダンス変換器４よりもたらされる前記第２音声出力が加算された状態で出力される。この加算出力はインピーダンス変換器として機能するバッファアンプ３を介してマイクロホン出力としてもたらされる。
【００３７】
図１に示した構成によると、スイッチＳＷによる端子ａ〜ｃの選択により、後側ユニットに加わる成極電圧の極性およびレベルが変えられ、これによりマイクロホンの指向性が選択できる。この作用はすでに説明した図６〜図８に示した例と同様であり、したがってその詳細な説明は省略する。
【００３８】
前記したコンデンサマイクロホンによると、従来例として図６〜９に示したコンデンサマイクロホンのように、前後の振動板を交流結合することにより発生する問題点を解消することができ、感度ならびにＳ／Ｎを向上させたコンデンサマイクロホンを提供することができる。
【００３９】
加えて、図１に示す構成によると、マイクロホン出力のＳ／Ｎ値は、前記第２インピーダンス変換器４と、第１インピーダンス変換器３による残留ノイズが寄与するものの、両者の残留ノイズはそれぞれ無相関であるために、ノイズ成分としては３ｄＢの上昇にとどまる。これに対して、図１に示す構成によると、前後の振動板の交流結合がなされない分、信号レベルとして６ｄＢ上昇することになるため、相対的にさらにＳ／Ｎが３ｄＢ向上することになる。
【００４０】
なお、図１に示す実施の形態においては、成極電圧選択手段を構成するスイッチＳＷによる端子ａ〜ｃの選択は３段になされている。しかし、図６に例示したように正負の成極電圧をそれぞれ例えば抵抗分割して正負の中間レベルの成極電圧を生成し、これも選択対象とすることで、前記スイッチＳＷは複数の異なる電圧レベルも選択可能となり、図７に示した例と同様に５つの指向特性を選択することができる。
【００４１】
また、図２はポテンションメータを利用して、後側ユニットに印加する成極電圧が調整できる例を示す。なお図２においては、前側および後側ユニットの記載は省略し、成極電圧選択手段の構成部分を示している。ポテンションメータＰｍとしては、中間タップ付のものが用いられ、前記ポテンションメータＰｍの一方の端子と中間タップとの間に、第１成極電源Ｅ１が挿入接続され、ポテンションメータＰｍの中間タップと他方の端子との間に第２成極電源Ｅ２が挿入接続されており、前記中間タップは基準電位点に接続されている。
【００４２】
前記ポテンションメータＰｍの可変出力端子にもたらされる電圧を、抵抗Ｒ２を介して図１に示すように第２振動板に１ｂに加えるように構成することで、例えば図７に示した指向特性を連続的に選択することができる。
【００４３】
次に図３は、振動板にエレクトレットを用いたエレクトレットコンデンサマイクロホンに対して、この発明を適用した例を示す。なお、図３においてはすでに説明した図１に示す各部に相当する部分を同一符号で示しており、したがって詳細な説明は適宜省略する。図３に示す例においては、後側ユニットを構成する第２バックプレート２ｂに生成される第２音声出力は、第２インピーダンス変換器４によってインピーダンス変換される。
【００４４】
この図３に示す例においては、第２インピーダンス変換器４は、利得が“１”で入出力の位相が非反転の非反転増幅器４ａと、利得が“１”で入出力の位相が反転する反転増幅器４ｂとが備えられている。そして、増幅器４ａもしくは増幅器４ｂの出力が択一的に、位相調整手段を構成するスイッチＳＷにより選択され、コンデンサＣ３を介して前側ユニットを構成する第１振動板１ａに加えられるように構成されている。
【００４５】
なお、図３に示す例においては、前記第１振動板１ａは、抵抗Ｒ３を介して交流接地されている。また第２振動板１ｂも、抵抗Ｒ４およびコンデンサＣ４を介して交流接地されている。
【００４６】
図３に示す例においては、スイッチＳＷの端子ａに対して、位相シフトされない状態のインピーダンス変換された第２音声出力が供給されている。またスイッチＳＷの端子ｂは基準電位点に設定されており、さらにスイッチＳＷの端子ｃに対しては、位相が反転された状態のインピーダンス変換された第２音声出力が供給されている。
【００４７】
したがって、位相調整手段として機能するスイッチＳＷが端子ａを選択すると、位相シフトされない状態の第２音声出力が第１振動板１ａに供給されることになる。一方、前側ユニットにおける第１のバックプレート２ａには、前側ユニットによる音声出力（第１音声出力）が生成されると同時に、前記第２音声出力が同相で加算された状態で出力される。この加算出力は第１インピーダンス変換器として機能するバッファアンプ３を介してマイクロホン出力としてもたらされる。これによれば、第１音声出力と第２音声出力が同相で加算されるために、無指向性の特性を得ることができる。
【００４８】
また、スイッチＳＷが端子ｂを選択すると、第２インピーダンス変換器４からの第２音声出力は第１振動板１ａには加わらず、前側ユニットによる第１音声出力のみが得られ、これにより前側ユニットが持つカージオイド特性が得られる。
【００４９】
さらにスイッチＳＷが端子ｃを選択すると、第２バックプレート２ｂに生成される第２音声出力が位相反転された状態で第１振動板１ａに供給されることになる。これによれば、前側ユニットによって生成される第１音声出力に、位相反転された第２音声出力が加わることになり、結果として双指向特性を得ることができる。以上のとおり、図３に示すエレクトレットコンデンサマイクロホンを利用しても、図１に示した例と同様の作用効果を得ることができる。
【００５０】
図４は、前記スイッチＳＷを含む位相調整手段の異なる形態を示しており、これはスイッチＳＷによる指向特性の選択数を増大させたものである。なお図４においては、前側ユニットおよび後側ユニットの記載は省略している。図４に示す構成においては、非反転増幅器４ａからの第２音声出力を抵抗Ｒ５，Ｒ６により分圧して端子ａ′に導出しており、反転増幅器４ｂからの第２音声出力を抵抗Ｒ７，Ｒ８により分圧して端子ｃ′に導出している。これによれば、図７に示した例と同様な指向特性を得ることができる。
【００５１】
図５はポテンションメータを利用して、指向特性を連続的に選択できるように構成した例を示している。この図５に示す例においては、図３に示す第２バックプレート２ｂに生成される第２音声出力をＢｓとして示しており、この第２音声出力Ｂｓは、非反転増幅器４ａによってインピーダンス変換される。このインピーダンス変換された出力は抵抗Ｒｓを介して反転増幅器４ｂに供給される。
【００５２】
この反転増幅器４ｂは、フィードバック抵抗Ｒｆを備えた例えばオペアンプにより構成されており、前記非反転増幅器４ａの出力端と、反転増幅器４ｂの出力端との間には、ポテンションメータＰｍの両端子が接続されている。そして、ポテンションメータの可変出力端子はコンデンサＣ３を介して、図３に示すように前側ユニットを構成する第１振動板１ａに接続されている。
【００５３】
図５に示すポテンションメータＰｍを用いた構成によると、ポテンションメータの可変出力端子を前記非反転増幅器４ａの出力側に設定すると、第２音声出力の非反転出力が得られ、前記可変出力端子を反転増幅器４ｂの出力側に設定すると、第２音声出力の反転出力が得られる。これによれば、例えば図７に示した指向特性を連続的に選択することができる。
【符号の説明】
【００５４】
１ａ        第１振動板
１ｂ        第２振動板
２ａ        第１バックプレート
２ｂ        第２バックプレート
３          第１インピーダンス変換器
４          第２インピーダンス変換器
４ａ        非反転増幅器
４ｂ        反転増幅器
Ｃ１〜Ｃ４  コンデンサ
Ｅ１        第１成極電源
Ｅ２        第２成極電源
Ｐｍ        ポテンションメータ
Ｒ１〜Ｒ８  抵抗
ＳＷ        選択スイッチ
【図１】
0005435737.tif 000002
【図２】
0005435737.tif 000003
【図３】
0005435737.tif 000004
【図４】
0005435737.tif 000005
【図５】
0005435737.tif 000006
【図６】
0005435737.tif 000007
【図７】
0005435737.tif 000008
【図８】
0005435737.tif 000009
【図９】
0005435737.tif 000010